(57)【要約】      （修正有）【課題】手摺ベルトにおける乗客が掴む表面が、手摺ベルトを循環駆動させる種々のローラによる汚損を防止し、乗客が手摺ベルトを掴みたくなるような気持ちにさせる改良を付加した乗客コンベアを提供する。【解決手段】乗客コンベアは、循環走行する踏段１５の幅方向両側に立設される欄干１６と、踏段の循環走行に同期して、欄干の上端に沿って循環走行する手摺ベルト１７と、手摺ベルトを誘導する誘導ローラ３２とを備え、誘導ローラの外周面にフィルムを巻回してなる。【選択図】図１
2017095207.tif 000002
【特許請求の範囲】
【請求項１】
循環走行する踏段の幅方向両側に立設される欄干と、
当該踏段の循環走行に同期して当該欄干の上端に沿って循環走行する手摺ベルトと、
当該手摺ベルトを誘導する誘導ローラとを備え、
当該誘導ローラの外周面にフィルムを巻回してなる
ことを特徴とする乗客コンベア。
【請求項２】
前記フィルムは、誘導ローラの外周面に複数回巻回されてなる
ことを特徴とする請求項１に記載の乗客コンベア。
【請求項３】
前記フィルムは、その幅方向にミシン目が配されている
ことを特徴とする請求項１又は２に記載の乗客コンベア。
【請求項４】
フィルムの長手方向における前記ミシン目間の間隔は、誘導ローラの円周長さ以上の長さである
ことを特徴とする請求項３に記載の乗客コンベア。
【請求項５】
前記フィルムは、誘導ローラの回転方向と同一方向に巻回してなる
ことを特徴とする請求項１〜４のいずれか１項に記載の乗客コンベア。
【請求項６】
前記フィルムは、セルフクリーニング性能を有する親水性フィルムである
ことを特徴とする請求項１〜５のいずれか１項に記載の乗客コンベア。
【請求項７】
前記誘導ローラは、乗客コンベアの乗客が掴む手摺ベルト表面に接触するベルト表面接触ローラと、手摺ベルト裏面に接触するベルト裏面接触ローラとを含み、
当該ベルト表面接触ローラの外周面にフィルムを巻回してなる
ことを特徴とする請求項１〜６のいずれ１項に記載の乗客コンベア。
【請求項８】
前記誘導ローラは、手摺ベルトに接触して手摺ベルトを走行させる駆動ローラと、手摺ベルトに接触し手摺ベルトの走行に伴って回転する従動ローラとを含み、
当該従動ローラの外周面にフィルムを巻回してなる
ことを特徴とする請求項１〜７のいずれか１項に記載の乗客コンベア。
【請求項９】
当該駆動ローラの外周面にフィルムを巻回し、
前記駆動ローラの外周面に巻回したフィルムの厚みは、当該駆動ローラの直径の長さの１％以下である
ことを特徴とする請求項８に記載の乗客コンベア。
【請求項１０】
前記従動ローラは、手摺ベルトに対して押圧力が働く可動ローラと、手摺ベルトを案内する固定ローラとを含み、
当該可動ローラの外周面にフィルムを巻回してなる
ことを特徴とする請求項８に記載の乗客コンベア。
【発明の詳細な説明】
【技術分野】
【０００１】
本発明の実施形態は、乗客コンベアに関する。
【背景技術】
【０００２】
エスカレータや動く歩道等の乗客コンベアにおける乗客の安全性の向上を図るために、乗客コンベアの欄干に乗客が掴むことができるゴム製の手摺ベルトが配されており、当該手摺ベルトについて種々の改良が提案されている。
【０００３】
手摺ベルトは、一般的にクロロスルホン化ポリエチレンゴム（商品名：ハイパロン（登録商標））により形成されており、汚れが手摺ベルトに付着するとその汚れは除去しにくく、表面の光沢も長期に使用することで低下してしまう欠点がある。また、エスカレータや動く歩道が１日１０時間程度の稼働をしている間、手摺ベルトは不特定多数の乗客の手で汚されるのが現状である。
【０００４】
一方、エスカレータや動く歩道に乗降する乗客に対して、乗客の転倒防止のため、注意放送にて「手摺ベルトにおつかまり下さい」と絶え間なく呼び掛けてはいるが、長期に使用された手摺ベルトは清潔感が低下しているため、このことが原因で手摺ベルトを掴むことに不快感を覚えて手摺ベルトを掴まない乗客も多数散見される。
【０００５】
それを防止するため、清掃員が手摺ベルトの表面を洗浄液で清掃したり、手摺ベルトを汚れにくい材質、例えばウレタンゴムに変更したりなどして乗客に手摺ベルトを掴ませるように努力している。
【０００６】
また、手摺ベルトは、これを循環駆動させるために、種々のローラが配されており、これらのローラが長期に使用されることによって、その表面に油や塵芥の汚れが付着し、この汚れが手摺ベルトに付着して手摺ベルトにおける乗客が掴む表面が汚れてしまうこともあり、この汚れに対する対策が講じられていないのが実情である。
【０００７】
このように、エスカレータや動く歩道等の乗客コンベアにおいて、手摺ベルトの汚損や触り心地の悪さ故に乗客が手摺ベルトを掴まず、不慮の緊急停止時に手摺ベルトを掴んでいないことが原因の１つとして、搭乗中に転倒する等の危険な状態が増加している。
【０００８】
乗客の安全性向上には手摺ベルトを掴むことが不可欠であるが、手摺ベルトの汚損や触り心地の悪さについては、改善の余地があるものの現在の技術では実現性が低い。
【先行技術文献】
【特許文献】
【０００９】
【特許文献１】実用新案登録第３０６６７７０号公報
【特許文献２】特開２００３−０４０５７１号公報
【発明の開示】
【発明が解決しようとする課題】
【００１０】
本発明が解決しようとする課題は、手摺ベルトにおける乗客が掴む表面が、手摺ベルトを循環駆動させる種々のローラによる汚損を防止し、乗客が手摺ベルトを掴みたくなるような気持ちにさせる改良を付加した乗客コンベアを提供することを目的とする。
【課題を解決するための手段】
【００１１】
本発明の実施形態に係る乗客コンベアは、循環走行する踏段の幅方向両側に立設される欄干と、当該踏段の循環走行に同期して当該欄干の上端に沿って循環走行する手摺ベルトと、当該手摺ベルトを誘導する誘導ローラとを備え、当該誘導ローラの外周面にフィルムを巻回してなることを特徴とする。
【図面の簡単な説明】
【００１２】
【図１】本発明の第１の実施形態に係るエスカレータの概略側面図である。
【図２】図１の要部拡大図である。
【図３】図２の要部拡大図であり、図中の（ｂ）は図中（ａ）の右側面図である。
【図４】本発明の第１の実施形態に係るエスカレータにおける押圧ローラの概略側面図である。
【図５】図４の一部拡大図である。
【図６】押圧ローラにフィルムを巻回する状態を示す概略斜視図である。
【発明を実施するための形態】
【００１３】
本発明の実施形態に係る乗客コンベアは、循環走行する踏段の幅方向両側に立設される欄干と、当該踏段の循環走行に同期して当該欄干の上端に沿って循環走行する手摺ベルトと、当該手摺ベルトを誘導する誘導ローラとを備え、当該誘導ローラの外周面にフィルムを巻回してなるものである。
【００１４】
以上のように構成すれば、誘導ローラの外周面に巻回したフィルムが汚損すれば、フィルムを取り換えるだけで、誘導ローラを汚れのない状態にすることができる。
【００１５】
また、前記フィルムは、誘導ローラの外周面に複数回巻回されてなる構成とするのが望ましい。このように構成した場合には、汚損したフィルム１周分を切除するだけで、誘導ローラを汚れのない状態にすることができる。
【００１６】
さらに、前記フィルムは、その幅方向にミシン目が配されている構成とするのが望ましく、さらにフィルムの長手方向における前記ミシン目間の間隔は、誘導ローラの円周長さ以上の長さである構成とするのが望ましい。このように構成すれば、手でフィルムを切除することができ、フィルムを切断するための器具が不要となる。
【００１７】
さらにまた、前記フィルムは、誘導ローラの回転方向と同一方向に巻回してなる構成とするのが望ましい。このように構成すれば、フィルムが巻回された誘導ローラにおいて、誘導ローラが回転することによりフィルムが剥がれるおそれがなくなる。
【００１８】
また、前記フィルムは、セルフクリーニング性能を有する親水性フィルムであることが望ましい。このように構成することにより、水洗いでフィルムの汚損を除去することができる。
【００１９】
さらに、前記誘導ローラには、乗客コンベアの乗客が掴む手摺ベルト表面に接触するベルト表面接触ローラと、手摺ベルト裏面に接触するベルト裏面接触ローラとが含まれており、当該ベルト表面接触ローラの外周面にフィルムを巻回してなる構成とするのが望ましい。手摺ベルトに関係する全ての誘導ローラにフイルムを巻回することが最善であるが、本実施形態の乗客コンベアは、乗客が手摺ベルトを掴む際に手摺ベルトが汚損していることによる不潔感を払拭することを目的とするものであるから、乗客コンベアの乗客が掴む手摺ベルト表面に接触するベルト表面接触ローラの外周面にフィルムを巻回すれば、フィルムを巻回するための時間及び費用が節約でき、かつ、フィルムの取り換え等のメンテナンスの作業時間が短縮される。
【００２０】
さらにまた、前記誘導ローラには、手摺ベルトに接触して手摺ベルトを走行させる駆動ローラと、手摺ベルトに接触し手摺ベルトの走行に伴って回転する従動ローラとが含まれており、当該従動ローラの外周面にフィルムを巻回してなる構成とするのが望ましく、さらには、当該駆動ローラの外周面にフィルムを巻回する場合には、前記駆動ローラの外周面に巻回したフィルムの厚みは、当該駆動ローラの直径の長さの１％以下とすることが望ましい。前記従動ローラにフィルムを巻回することにより従動ローラの直径が大きくなっても、当該従動ローラは手摺ベルトの走行により回転するものであるから手摺ベルトの走行速度には関与しないので影響がない。しかし、駆動ローラの外周面にフィルムを巻回する場合には、駆動ローラにフィルムを巻回することにより駆動ローラの直径が大きくなりすぎると手摺ベルトの走行速度に影響があるため、駆動ローラの外周面に巻回したフィルムの厚みは当該駆動ローラの直径の長さの１％以下とすることにより、手摺ベルトの走行速度に影響がないようにしている。
【００２１】
また、前記従動ローラには、手摺ベルトに対して押圧力が働く可動ローラと、手摺ベルトを案内する固定ローラとが含まれており、当該可動ローラの外周面にフィルムを巻回してなる構成とすることが望ましい。手摺ベルトを案内する固定ローラは走行する手摺ベルトを案内するだけなので、当該固定ローラが多少汚損していても手摺ベルトに汚れが転移する割合が少ないが、手摺ベルトに対して押圧力が働く可動ローラは、これが汚損していると、汚れそのものも手摺ベルトに押し付けることになるので、手摺ベルトに可動ローラの汚れが転移しやすいので、当該可動ローラの外周面にフィルムを巻回しておくと手摺ベルトに汚れが転移するのを防ぐことができる。
【００２２】
以下に、本発明の好適な実施形態を添付の図面に基づいて詳細に説明する。なお、以下の説明はエスカレータについてのものであるが、動く歩道等の乗客コンベアについても同様に実施できる。また、手摺ベルトを駆動する装置には種々の構造のものがあるが、いずれも手摺ベルトの走行にはローラが使用されており、下記の実施形態と同様にローラにフィルムを巻回して清潔さを保つことができる。
【実施例１】
【００２３】
本実施形態おいては、図１〜図３に示すように、乗客コンベア１０が建物の上下階に跨って傾斜して設置され、複数の踏段１５が上下階にわたって循環走行するエスカレータの場合を説明するが、本発明は、踏段が水平方向に走行する動く歩道に対しても適用することができる。
【００２４】
本実施形態の乗客コンベア１０は、建物などの上下階に跨って床下に設置されたトラスと呼ばれる主枠１１を備える。主枠１１の内部には、上階側と下階側とにそれぞれ左右一対のスプロケット１２が配置されており、上階側のスプロケット１２と下階側のスプロケット１２との間に、左右一対の無端状の踏段チェーン１３がそれぞれ巻き掛けられている。上階側あるいは下階側のスプロケット１２の少なくとも一方は、電動機や減速機などを有する駆動装置１４の駆動により回転する構造となっている。
【００２５】
そして、主枠１１の内部の上階側に設けられた制御部１８により駆動装置１４が制御され、スプロケット１２が回転すると、スプロケット１２に噛み合う踏段チェーン１３に駆動力が伝達され、踏段チェーン１３が主枠１１内で上下階にわたって循環走行する。
【００２６】
主枠１１上には、踏段１５の幅に相当する所定の間隔をあけて左右一対の欄干１６が互いに平行に立設されている。各欄干１６の周囲には手摺ベルト１７が装着されている。手摺ベルト１７は、手摺駆動装置３０によって駆動され、踏段１５の循環走行と同期して欄干１６の周囲を周回する。
【００２７】
手摺ベルト１７が欄干１６の周囲を周回するに当たって、図示を一部省略するが、手摺ベルト１７の表裏の適宜位置に誘導ローラが配されていて、手摺ベルトがスムーズに循環走行できるように構成されている。この誘導ローラとしては、分類分けの一つとして、乗客コンベアの乗客が掴む手摺ベルト表面に接触するベルト表面接触ローラと、手摺ベルト裏面に接触するベルト裏面接触ローラとに分かれる。また、分類分けの他の一つとして手摺ベルトに接触して手摺ベルトを走行させる駆動ローラ、すなわち手摺ベルトの有無に関わりなくモータなどの駆動源により回転する駆動ローラと、手摺ベルトに接触し手摺ベルトの走行に伴って回転する従動ローラ、すなわち走行する手摺ベルトに接触しなければ回転しない従動ローラとに分かれる。さらに、分類分けのさらに他の一つとして手摺ベルトに対して押圧力が働く可動ローラ、すなわち手摺ベルトを押圧する方向に移動する可動ローラと、手摺ベルトを案内する固定ローラ、すなわち手摺ベルトが接触する個所に手摺ベルトに力を加えずに支持して手摺ベルトがスムーズに走行するように配した固定ローラとに分かれる。
【００２８】
手摺駆動装置３０は、駆動スプロケット３１を備え、この駆動スプロケット３１の周面に手摺ベルト１７の内周面が巻き掛けられている。この駆動スプロケット３１には、不図示の動力伝達手段により駆動装置１４から駆動力が伝達され、駆動スプロケット３１の周面と手摺ベルト１７の内周面との摩擦力により、手摺ベルト１７が駆動走行する。この駆動スプロケット３１は、ベルト裏面接触ローラであってかつ駆動ローラということができる。
【００２９】
また、駆動スプロケット３１に巻き掛けられた手摺ベルト１７の外周面、すなわち乗客コンベア１０の乗客が掴む手摺ベルト１７の表面に接して、複数の押圧ローラ３２が回転可能に設けられている。この押圧ローラ３２は、ベルト表面接触ローラであってかつ後述するように手摺ベルト１７側に移動するので可動ローラということができる。
【００３０】
各押圧ローラ３２の両側面にそれぞれ複数のリンクプレート３３が設けられている。各リンクプレート３３は、両端部に貫通孔を備え、押圧ローラ３２の一方の側面に設けられたリンクプレート３３と、他方の側面に設けられたリンクプレート３３とが、リンクプレート３３の貫通孔と押圧ローラ３２の中心軸を貫くピン又は押圧ローラ３２を回動可能に支持するブッシュにより接続されている。これらのリンクプレート３３を互いに連結することにより、所定の長さを有するチェーン状になって複数の押圧ローラを連結している。
【００３１】
チェーン状に連結しているリンクプレート３３のうち、一方の端部に設けられたリンクプレート３３には、支持部材３５が取り付けられている。この支持部材３５は、主枠１１の梁などに取り付けられて固定される。一方、他方の端部に設けられたリンクプレート３３には、ねじ棒３６が取り付け固定されている。このねじ棒３６は、主枠１１に固定される支持部材３７を貫通して支持部材３７よりも外方に突出しており、支持部材３７より突出する部分に圧縮ばね３８が設けられるとともに、ナット３９が回転可能に取り付けられている。
【００３２】
このような手摺駆動装置３０は、ねじ棒３６に螺合するナット３９を回転させて支持部材３７から突出するねじ棒３６が長くなるように軸方向に移動させることにより、押圧ローラ３２は手摺ベルト１７側に移動して、手摺ベルト１７を駆動スプロケット３１側に押圧させる押圧力を加えている。各押圧ローラ３２は手摺ベルト１７の一定区間にわたって接触押圧することで、略均等な荷重で手摺ベルト１７を押圧する。この押圧ローラ３２からの押圧力により、駆動スプロケット３１と手摺ベルト１７との摩擦力が高められ、手摺ベルト１７がより確実に駆動スプロケット３１に密着する。これにより手摺ベルト１７がスリップするのを防止して、確実に手摺ベルトが駆動されるようにしている。そして、ねじ棒３６に螺合するナット３９により支持部材３７から突出するねじ棒３６の長さを調整することにより、押圧ローラ３２の手摺ベルト１７に対する押圧力を調整することができるようになっている。
【００３３】
手摺ベルト１７の長手方向の途中には、適宜の位置に当接ローラ５４を有する張力付与装置５２が設けられており、当接ローラ５４が手摺ベルト１７側に移動することにより手摺ベルト１７を押圧することで、手摺ベルト１７に適切な張力を与えて手摺ベルト１７のたるみをなくしている。この当接ローラ５４は、手摺ベルト裏面接触ローラであってかつ従動ローラであってかつ可動ローラということができる。
【００３４】
主枠１１における駆動スプロケット３１の上側近傍両側には、手摺ベルト１７を下側から案内する手摺ベルト案内機構６０がそれぞれ設けられている。この手摺ベルト案内機構６０は、円弧状のローラプレート６１が設けられており、このローラプレート６１には、手摺ベルト１７を下側から案内する案内ローラ６２が回転可能にそれぞれ設けられている。この案内ローラ６２はベルト表面接触ローラであってかつ従動ローラであってかつ固定ローラということができる。
【００３５】
また、図示は省略するが欄干１６上を走行する手摺ベルト１７の裏面には、適宜間隔をおいて複数の誘導ローラが配されており、これら誘導ローラは、手摺ベルト裏面接触ローラであってかつ従動ローラであってかつ固定ローラということができる。
【００３６】
図４〜図６は、前述した押圧ローラ３２を表し、押圧ローラ３２の外周面にはフィルム７０が複数回巻回されている。このフイルム７０は押圧ローラ３２の回転方向（矢符ａで示す方向）と同方向に巻回されていて、押圧ローラ３２の回転によりフィルム７０が剥がれることのないように構成されている。また、フィルム７０を押圧ローラ３２に巻回するときは押圧ローラ３２を、前記回転方向に回転させながら巻き付けていく。
【００３７】
そして、フィルム７０にはミシン目７１が形成されていて、ミシン目７１に沿ってフィルム７０を容易に切り取ることができるようになっている。また、ミシン目７１は、フィルム７０の長手方向におけるミシン目間の間隔が、押圧ローラ３２の円周長さ以上の長さとなるよう形成されている。したがって、定期的にフィルム７０をミシン目７１に沿って切り取ることにより、フィルム７０に付着した汚れを除去することができる。
【００３８】
また、フィルム７０は、セルフクリーニング性能を有する親水性フィルムを使用している。このセルフクリーニング性能を有する親水性フィルムとしては、例えばポリエステルフィルム上に、親水性組成物を用いて形成された親水性層を有する親水性フィルムであって、該親水性組成物は、親水性ポリマーを含有するフィルムが使用できる。このセルフクリーニング性能を有する親水性フィルムであるため、水洗いでフィルムの汚損を除去することができる。
【００３９】
なお、前記フィルム７０を巻回するローラは前記の押圧ローラ３２に限らず、ベルト表面接触ローラ、例えば案内ローラ６２にもフィルム７０が巻回されている。それ以外の当接ローラ５４にフィルム７０を巻回してもよい。なお、駆動スプロケット３１としての駆動ローラにフィルム７０を巻回する場合には、駆動ローラにフィルムを巻回することにより駆動ローラの直径が大きくなりすぎると手摺ベルトの走行速度に影響があるため、駆動ローラの外周面に巻回したフィルムの厚みは当該駆動ローラの直径の長さの１％以下とすることにより、手摺ベルトの走行速度に影響がないようにする。
【００４０】
以上、本発明の実施形態を説明したが、この実施形態は例として提示したものであり、発明の範囲を限定することを意図していない。この実施形態は、その他の様々な形態で実施されることが可能であり、発明の趣旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４１】
１０…乗客コンベア
１１…主枠
１２…スプロケット
１３…踏段チェーン
１４…駆動装置
１５…踏段
１６…欄干
１７…手摺ベルト
１８…制御部
３０…手摺駆動装置
３１…駆動スプロケット（誘導ローラ、ベルト裏面接触ローラ、駆動ローラ）
３２…押圧ローラ（誘導ローラ、ベルト表面接触ローラ、可動ローラ、従動ローラ）
３３…リンクプレート
３５…支持部材
３６…ねじ棒
３７…支持部材
３８…圧縮ばね
３９…ナット
５２…張力付与装置
５４…当接ローラ（誘導ローラ、ベルト裏面接触ローラ、従動ローラ）
６０…手摺ベルト案内機構
６１…ローラプレート
６２…案内ローラ（誘導ローラ、ベルト表面接触ローラ、従動ローラ、固定ローラ）
７０…フィルム
７１…ミシン目
【図１】
2017095207.tif 000003
【図２】
2017095207.tif 000004
【図３】
2017095207.tif 000005
【図４】
2017095207.tif 000006
【図５】
2017095207.tif 000007
【図６】
2017095207.tif 000008
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
循環走行する踏段の幅方向両側に立設される欄干と、
当該踏段の循環走行に同期して当該欄干の上端に沿って循環走行する手摺ベルトと、
当該手摺ベルトを誘導する誘導ローラとを備え、
当該誘導ローラの外周面にフィルムを巻回してなり、
当該フィルムは、その厚みが当該誘導ローラの直径の長さの１％以下である
ことを特徴とする乗客コンベア。
【請求項２】
前記フィルムは、誘導ローラの外周面に複数回巻回されてなる
ことを特徴とする請求項１に記載の乗客コンベア。
【請求項３】
前記フィルムは、その幅方向にミシン目が配されている
ことを特徴とする請求項１又は２に記載の乗客コンベア。
【請求項４】
フィルムの長手方向における前記ミシン目間の間隔は、誘導ローラの円周長さ以上の長さである
ことを特徴とする請求項３に記載の乗客コンベア。
【請求項５】
前記フィルムは、誘導ローラの回転方向と同一方向に巻回してなる
ことを特徴とする請求項１〜４のいずれか１項に記載の乗客コンベア。
【請求項６】
前記フィルムは、セルフクリーニング性能を有する親水性フィルムである
ことを特徴とする請求項１〜５のいずれか１項に記載の乗客コンベア。
【請求項７】
前記誘導ローラは、乗客コンベアの乗客が掴む手摺ベルト表面に接触するベルト表面接触ローラと、手摺ベルト裏面に接触するベルト裏面接触ローラとを含み、
当該ベルト表面接触ローラの外周面にフィルムを巻回してなる
ことを特徴とする請求項１〜６のいずれ１項に記載の乗客コンベア。
【請求項８】
前記誘導ローラは、手摺ベルトに接触して手摺ベルトを走行させる駆動ローラと、手摺ベルトに接触し手摺ベルトの走行に伴って回転する従動ローラとを含み、
当該従動ローラの外周面にフィルムを巻回してなる
ことを特徴とする請求項１〜７のいずれか１項に記載の乗客コンベア。
【請求項９】
当該駆動ローラの外周面にフィルムを巻回し、
前記駆動ローラの外周面に巻回したフィルムの厚みは、当該駆動ローラの直径の長さの１％以下である
ことを特徴とする請求項８に記載の乗客コンベア。
【請求項１０】
前記従動ローラは、手摺ベルトに対して押圧力が働く可動ローラと、手摺ベルトを案内する固定ローラとを含み、
当該可動ローラの外周面にフィルムを巻回してなる
ことを特徴とする請求項８に記載の乗客コンベア。